(57)【要約】【課題】  複雑なレンズマウント構造を構成することなく、レンズ光軸を高精度で合わせることができるレンズマウント構造を提供する。【解決手段】  レンズ鏡筒１０の基部外周１１に形成したフランジ部１ａ〜１ｃを、カメラ等の本体部２１の前面に設けた円筒状のマウント２０に形成した保持部４ａ〜４ｃで保持し、鏡筒重心がフランジ形成位置よりも先端側にあるレンズ鏡筒をカメラ等の本体部に取り付けるレンズマウント構造において、前記本体部に取り付けたレンズ鏡筒のレンズ光軸を合わせるための基準面２が各フランジ部１ａ〜１ｃに形成され、かつ前記基準面２が鏡筒重心側に面して形成されるとともに、該基準面２に勾配が設けられ、フランジ部１ａ〜１ｃに形成された基準面２を、保持部４ａ〜４ｃに形成された保持面５に当接させた状態で、保持部４ａ〜４ｃがフランジ部１ａ〜１ｃを保持するものである。【選択図】  図３
2005275027.tif 000002
【特許請求の範囲】
【請求項１】
レンズ鏡筒（１０）の基部外周（１１）に形成したフランジ部（１ａ〜１ｃ）を、カメラ等の本体部（２１）の前面に設けた円筒状のマウント（２０）に形成した保持部（４ａ〜４ｃ）で保持し、鏡筒重心がフランジ形成位置よりも先端側にあるレンズ鏡筒をカメラ等の本体部に取り付けるレンズマウント構造において、
前記本体部に取り付けたレンズ鏡筒のレンズ光軸を合わせるための基準面（２）が各フランジ部（１ａ〜１ｃ）に形成され、かつ前記基準面（２）が鏡筒重心側に面して形成されるとともに、該基準面（２）に勾配が設けられ、
フランジ部（１ａ〜１ｃ）に形成された基準面（２）を、保持部（４ａ〜４ｃ）に形成された保持面（５）に当接させた状態で、保持部（４ａ〜４ｃ）がフランジ部（１ａ〜１ｃ）を保持することを特徴とするレンズマウント構造。
【請求項２】
フランジ部（１ａ〜１ｃ）に形成した基準面（２）の勾配が、２０°〜４５°の範囲であることを特徴とする請求項１に記載のレンズマウント構造。
【発明の詳細な説明】
【技術分野】
【０００１】
この発明は、カメラやプロジェクタなどの本体部にレンズ鏡筒を脱着するためのレンズマウント構造に関する。
【背景技術】
【０００２】
カメラやプロジェクタなどのカメラ等では、レンズ交換の必要性から、カメラ等の本体部とレンズ鏡筒とを脱着するレンズマウント構造が知られている。（特許文献１〜２を参照）
例えば、カメラ本体にレンズ鏡筒を脱着する従来技術のレンズマウント構造では、図４に示すように、レンズ鏡筒１００の基部外周にフランジ部１０１を形成するとともに、カメラ本体１０３の前面に円筒状のマウント１０５を設け、前記マウント１０５をカメラ本体１０３の前面に螺合し、レンズ鏡筒のフランジ部１０１をカメラ本体１０３の前面とマウント１０５で挟み込むようにして保持し、カメラ本体１０３にレンズ鏡筒１００を取り付ける。
なお従来技術によるレンズマウント構造では、フランジ部の接地面側に基準面１０２を形成し、前記基準面１０２をカメラ本体１０３の前面のマウント面１０４に当接することによって、レンズ鏡筒のレンズ光軸を合わせる。また図４に示す従来技術では、螺合によるフランジ部の保持調整機構を設けることによって、カメラ本体の１０３のマウント面にフランジ部の基準面１０２を当接させて、レンズ鏡筒のレンズ光軸を合わせている。
【特許文献１】特開平５−０７２６１８号公報
【特許文献２】特開平９−２１１６５６号公報
【発明の開示】
【発明が解決しようとする課題】
【０００３】
しかしながら従来技術によるレンズマウント構造では、カメラ本体の前面に対して円筒状のマウント１０５をきつく螺合した場合であっても、僅かな隙間があると、鏡筒重心がフランジ形成位置よりも先端側にあるため、レンズ鏡筒自体の重さによってレンズ鏡筒が倒れ、レンズ鏡筒の基準面１０２とカメラ本体１０３のマウント面１０４とが密着せず、レンズ鏡筒のレンズ光軸がずれてしまっていた。
【０００４】
この発明は、カメラやプロジェクタなど、カメラ等の本体部にレンズ鏡筒を取り付けるにあたって、レンズ鏡筒のレンズ光軸を高精度で合わせることができるレンズマウント構造を提供することを目的とする。
【課題を解決するための手段】
【０００５】
上述の目的を達成するため、この発明は、レンズ鏡筒の基部外周に形成したフランジ部を、カメラ等の本体部の前面に設けた円筒状のマウントに形成した保持部で保持し、鏡筒重心がフランジ形成位置よりも先端側にあるレンズ鏡筒をカメラ等の本体部に取り付けるレンズマウント構造において、前記本体部に取り付けたレンズ鏡筒のレンズ光軸を合わせるための基準面が各フランジ部に形成され、かつ前記基準面が鏡筒重心側に面して形成されるとともに、該基準面に勾配が設けられ、フランジ部に形成された基準面を、保持部に形成された保持面に当接させた状態で、保持部がフランジ部を保持するものである。
【発明の効果】
【０００６】
この発明によれば、複雑なレンズマウント構造を構成することなく、レンズ鏡筒自体の重さによるレンズ鏡筒の倒れを防止し、レンズ光軸を高精度で合わせることができ、かつ簡単にカメラ等の本体部にレンズ鏡筒を取り付けることができる。
【発明を実施するための最良の形態】
【０００７】
以下にこの発明の実施形態について、図面を参照にして説明する。
以下に説明する実施形態は、カメラ本体にレンズ鏡筒を脱着するカメラのレンズマウント構造を例示するものであるが、本発明はカメラのレンズマウント構造に限定されるものではなく、プロジェクタ本体に投映レンズを脱着するためのレンズマウント構造を含むものである。すなわち、この発明はカメラやプロジェクタなど、カメラ等の本体部にレンズ鏡筒を脱着するレンズマウント構造である。
【０００８】
図１を参照して、この発明の実施例によるレンズ鏡筒１０を説明する。
図１は、鏡筒重心がフランジ形成位置よりも先端側にあるレンズ鏡筒１０を示すものである。図１（ａ）はレンズ鏡筒１０を先端側からみた平面図であり、図１（ｂ）は、図１（ａ）のＡ−Ａ線断面図である。また図１（ｃ）はフランジ部１ａの部分拡大断面図である。
この実施例では、レンズ鏡筒１０の基部外周１１に３つのフランジ部１ａ〜１ｃが等間隔に形成されている。また各フランジ部１ａ〜１ｃには、カメラ本体に取り付けたレンズ鏡筒のレンズ光軸を合わせるために、それぞれ基準面２が形成されている。
【０００９】
図１（ｂ）に示すように、この実施例のレンズ鏡筒１０では、各フランジ部１ａ〜１ｃに形成された基準面２は、マウント２０（カメラ本体）への接地面３側ではなく、レンズ鏡筒先端側に面して形成されている。つまり、鏡筒重心側に面して基準面２を形成する。
【００１０】
また鏡筒重心側に面して形成した基準面２には、勾配が設けられ、フランジ部１ａ〜１ｃがテーパー状に形成されている。この勾配は、２０°〜４５°の範囲で設けることが好ましく、この実施例では３０°の勾配を設けた（図１（ｃ）を参照）。
【００１１】
次に図２を参照して、この発明の実施例によるマウント２０を説明する。
図２は、カメラ本体２１の前面に固定した円筒状のマウント２０を示すものである。図２（ａ）はマウントの平面図であり、図２（ｂ）は、図２（ａ）のＢ−Ｂ線断面図である。
この実施例では、円筒状のマウント１０に、レンズ鏡筒１０のフランジ部１ａ〜１ｃを保持するための３つの保持部４ａ〜４ｃが等間隔に形成されている。また各保持部４ａ〜４ｃには、フランジ部の基準面２が当接する保持面５が形成され、この保持面５に基準面２を当接することによって、カメラ本体に取り付けたレンズ鏡筒のレンズ光軸を合わせる。
つまり保持部４ａ〜４ｃのマウント面６と保持面５との間にフランジ部１ａ〜１ｃを挿入し、前記マウント面６と保持面５とでフランジ部１ａ〜１ｃを挟み込むようにして保持する。このときフランジ部１ａ〜１ｃに形成した基準面２を保持面５に当接させる。
【００１２】
図３は、この発明によるレンズマウント構造を示すものである。
図３（ａ）に示す実施例は、レンズ鏡筒１０の基部外周１１に形成したフランジ部１ａ〜１ｃを、カメラ本体前面２１に設けた円筒状のマウント２０に形成した保持部４ａ〜４ｃで保持し、鏡筒重心がフランジ形成位置よりも先端側にあるレンズ鏡筒をカメラ本体に取り付けるレンズマウント構造において、各フランジ部１ａ〜１ｃの鏡筒重心側に面して形成した基準面２に３０°の勾配を設け、当該基準面２を、保持部４ａ〜４ｃに形成した保持面５に当接させた状態で、保持部４ａ〜４ｃでフランジ部１ａ〜１ｃを保持し、カメラ本体に取り付けたレンズ鏡筒のレンズ光軸を合わせるものである。
【００１３】
つまりこの実施例では、鏡筒重心側に面して基準面２を形成し、かつ当該基準面２に勾配を設けたフランジ部１ａ〜１ｃを、マウント２０に形成した保持部４ａ〜４ｃで保持し、フランジ部１ａ〜１ｃの基準面２と保持部４ａ〜４ｃの保持面５とを当接させることによって、カメラ本体に取り付けたレンズ鏡筒のレンズ光軸を合わせるため、フランジ部と保持部との間に隙間があっても、鏡筒重心がフランジ形成位置よりも先端側にあるレンズ鏡筒の鏡筒自体の重さによって、基準面２と保持面５とが密着し、レンズ鏡筒のレンズ光軸を高精度で合わせることができる。
【００１４】
なおこの実施例では、カメラ本体にレンズ鏡筒を取り付けたときに、図３（ｂ）に示すように、保持部４ａで保持されたフランジ部１ａが鏡筒周面上半分側（０〜πの範囲内）に配設され、保持部４ｂで保持されたフランジ部１ｂが鏡筒周面左下側（π〜３／２πの範囲内）に配設され、保持部４ｃで保持されたフランジ部１ｃが鏡筒周面右下側（３／２π〜２πの範囲内）に配設されるようにした。
この発明によるレンズマウント構造は、レンズ鏡筒１０の基部外周１１に少なくとも３つのフランジ部を形成するとともに、カメラ本体２１の前面に設けた円筒状のマウント２０に形成した保持部で前記フランジ部を保持するレンズマウント構造において、鏡筒周面上半分側（０〜πの範囲内）に配設された少なくとも１つのフランジ部と、鏡筒周面左下側（π〜３／２πの範囲内）に配設された少なくとも１つのフランジ部と、鏡筒周面右下側（３／２π〜２πの範囲内）に配設された少なくとも１つのフランジ部とに、それぞれ鏡筒重心側に面して基準面２を形成し、この基準面２を保持部の保持面５に当接させることによって、レンズ鏡筒のレンズ軸を合わせる。
【００１５】
なおこの実施例では、カメラ本体前面２１に形成した円筒状のマウント１０における保持部非形成位置のマウント面６に、レンズ鏡筒の基部外周１１に形成した３つのフランジ部１ａ〜１ｃの接地面３を接地させた後、レンズ鏡筒１０を回動させ、それぞれのフランジ部１ａ〜１ｃをスライドさせて各保持部４ａ〜４ｃに挿入する。
つまり、円筒状のマウント２０（図２（ｂ）を参照）に形成した保持部４ａの左側に位置する保持部非形成部のマウント面６と、保持部４ｂの左側に位置する保持部非形成部のマウント面６と、保持部４ｃの左側に位置する保持部非形成部のマウント面６に、レンズ鏡筒１０のフランジ部１ａ，１ｂ，１ｃの接地面３をそれぞれ接地し、その後レンズ鏡筒１０を時計回りに回動することによって、各フランジ部１ａ〜１ｃをスライドさせ、それぞれ保持部４ａ〜４ｃに挿入する。
【００１６】
なお、少なくとも１つの保持部に係止部材を設け、保持部に挿入したフランジ部の時計回り回動を係止し、フランジ部が保持部の右側に抜けるのを防止するとともに、保持部に挿入したフランジ部の反時計回り回動を抑制し、フランジ部が保持部の左側に抜けるのを防止するのを抑制する回動規制部材とを設けた。
この実施例では、保持部４ａの保持面右端に凸状の係止部材を設けることによって、保持部に挿入したフランジ部の時計回り回動を係止し、フランジ部１ａが保持部４ａの右側に抜けるのを防止した。また保持部４ａの保持面左端に可動係止ピンからなる回動規制部材を設け、保持部に挿入したフランジ部の反時計回り回動を抑制し、フランジ部１ａが保持部４ａの左側に抜けるのを防止した。
すなわち、カメラ本体２１にレンズ鏡筒１０を取り付ける場合、レンズ鏡筒が時計回りに回動することによってフランジ部１ａがスライドして保持部４ａに挿入される。このとき保持部１ａの保持面右端に形成した凸状の係止部材が、保持部４ａに挿入されたフランジ部１ａがスライドして右側から抜け出るのを防止する。また、保持面左端に形成した回動規制部材は、レンズ鏡筒１０の時計回りの回動によるフランジ部１ａの保持部４ａへの挿入を許容し、反時計回りの回動によるフランジ部１ａの保持部４ａからの離脱を防止する。
またカメラ本体２１に取り付けたレンズ鏡筒１０を取り外す場合、回動規制部材によるレンズ鏡筒１０の反時計回りの回動を許容させることによって、保持部４ａに挿入されたフランジ部１ａを離脱させる。
【００１７】
この発明によれば、鏡筒重心がフランジ形成位置よりも先端側にあるレンズ鏡筒をカメラ本体に取り付けるレンズマウント構造において、フランジ部１ａ〜１ｃの基準面２が鏡筒重心側に面して形成されるとともに、該基準面２に勾配が設けられ、レンズ鏡筒自体の重さによって保持部４ａ〜４ｃの保持面５に基準面を当接させ、カメラ本体に取り付けたレンズ鏡筒のレンズ光軸を合わせるため、保持部とフランジ部との間に隙間がある場合であっても、レンズ鏡筒のレンズ光軸を高精度で合わせることができる。
また、保持部とフランジ部との間に隙間がある場合であっても、レンズ鏡筒のレンズ光軸を高精度で合わせることができるため、フランジ部の保持調整機構（例えば螺合による保持部の幅の調整機構）を設ける必要がなく、カメラ本体にレンズ鏡筒を容易に取り付けることができる。
【図面の簡単な説明】
【００１８】
【図１】この発明の実施例によるレンズ鏡筒を示す図である。
【図２】この発明の実施例によるマウントを示す図である。
【図３】この発明の実施例によるレンズマウント構造を示す図である。
【図４】従来技術によるレンズマウント構造を示す図である。
【符号の説明】
【００１９】
１ａ〜１ｃ    フランジ部
２    基準面
３    接地面
４ａ〜４ｃ    保持部
５  保持面
６  マウント面
１０  レンズ鏡筒
１１  基部外周
２０  マウント
２１  カメラ本体前面
【図１】
2005275027.tif 000003
【図２】
2005275027.tif 000004
【図３】
2005275027.tif 000005
【図４】
2005275027.tif 000006